(57)【要約】  均一に照明することができる照明装置及び表示装置を提供する。  導光板２２に設けられている位置決め用の凹部２２５及び凹部２２５の周縁部分を、導光板２２の一面側から被覆部２６が被覆する。このため、導光板２２の一面における凹部２２５近傍から出射する光は、被覆部２６によって、照明装置としてのバックライトユニット２の外部に出射することが抑制される。故に、たとえ導光板２２の凹部２２５にて光が散乱し、凹部２２５近傍の明るさが他部よりも大きいとしても、過剰に明るい光がバックライトユニット２の外部（この場合、表示パネル１１側）へ漏れ出ることが抑制される。即ち、導光板２２の凹部２２５に起因する輝度ムラが抑制される。
2015046240.tif 000002
【特許請求の範囲】
【請求項１】
周縁部に切り欠き状の凹部を有し、入射した光を一面から出射させる導光板と、
前記凹部に係合して前記導光板を位置決めする凸部が設けられており、前記導光板を支持する導光板支持部と
を備える照明装置において、
前記一面の側から前記凹部と該凹部の周縁部分とを被覆する被覆部
を備えることを特徴とする照明装置。
【請求項２】
前記被覆部は、遮光性を有することを特徴とする請求項１に記載の照明装置。
【請求項３】
前記被覆部は、光反射性を有することを特徴とする請求項１に記載の照明装置。
【請求項４】
前記被覆部に光反射部が配されていることを特徴とする請求項２に記載の照明装置。
【請求項５】
前記被覆部に遮光部が配されていることを特徴とする請求項３に記載の照明装置。
【請求項６】
請求項１乃至５の何れか一項に記載の照明装置と、
表示領域及び該表示領域を囲繞する額縁領域を有し、前記表示領域は前記照明装置によって背面側から照明される表示パネルと
を備え、
前記表示領域の背面側に、前記照明装置が備える被覆部の少なくとも一部が配されていることを特徴とする表示装置。
【請求項７】
前記表示パネルを支持するパネル支持部を更に備え、
前記被覆部は、前記パネル支持部に一体的に設けられていることを特徴とする請求項６に記載の表示装置。
【請求項８】
前記被覆部は、前記額縁領域の背面側から前記表示領域の背面側に亘って配されており、
前記被覆部の前記表示領域の背面側に配されている部分は、厚さが、前記導光板の周縁側よりも面方向中央側の方が薄い舌片状になしてあるか、又は、前記照明装置が備える導光板の周縁方向に沿う方向の長さが、前記導光板の周縁側よりも面方向中央側の方が短い舌片状になしてあることを特徴とする請求項６又は７に記載の表示装置。
【発明の詳細な説明】
【技術分野】
【０００１】
本発明は、凹凸の係合によって位置決めされた導光板を備える照明装置及び表示装置に関する。
【背景技術】
【０００２】
液晶表示装置は、映像を表示する液晶表示パネルと、液晶表示パネルの背面側から液晶表示パネルを照明するバックライトユニットとを備える。
以下では、液晶表示パネルが縦姿勢で配されている場合について説明する。
従来、エッジライト方式のバックライトユニットが提案されている（特許文献１参照）。エッジライト方式のバックライトユニットは、液晶表示パネルの背面側に、光学シート群を介して矩形状の導光板を配置し、導光板の背面側に、反射シートを配置し、導光板の下端面に対向して、光源部を配置してなる。【０００３】
光源部が発した光は、導光板の下端面を透過して導光板の内部に入射する。導光板の内部に入射した光は、導光板の正面から出射する。導光板の正面から出射した光は、光学シート群による拡散及び集光等を経て、液晶表示パネルの内部に入射する。
バックライトユニットが液晶表示パネルを均一に照明すれば、液晶表示パネルの表示領域は均一に明るくなる。【０００４】
ところで、導光板は、導光板の正面側に配されている枠状のパネルシャーシ（以下、Ｐシャーシという）と、導光板の背面側に配されている皿状のバックライトシャーシ（以下、ＢＬシャーシという）との間で支持されている。
導光板の周縁部には切り欠き状の凹部が設けられている。ＢＬシャーシには凸部が設けられている。導光板の凹部とＢＬシャーシの凸部とが係合することによって、導光板は位置決めされる。【０００５】
導光板の凹部に係合している凸部には、凸部が光を遮断することによって、凸部近傍の明るさが低下するという問題がある。
特許文献１に記載のバックライトユニットは、反射シートの一部を立ち上げて凸部を覆うことによって、凸部による遮光を抑制している。
【先行技術文献】
【特許文献】
【０００６】
【特許文献１】国際公開第２０１２／００２０７４号パンフレット
【発明の概要】
【発明が解決しようとする課題】
【０００７】
導光板の凹部は光を無用に散乱させる。このため、導光板の凹部近傍の明るさが無用に増大し、結果として、バックライトユニットによる照明が不均一になる（いわゆる輝度ムラが生じる）ことがある。故に、表示パネルの表示領域における導光板の凹部近傍が、部分的に明るくなり、表示品位が低下するという問題が生じる。【０００８】
このような問題を解消するために、導光板の凹部を表示パネルの表示領域から遠ざけることが考えられる。この場合、導光板の凹部にて散乱した光が表示パネルの表示領域に入射することが抑制されるため、表示パネルの表示領域が部分的に明るくなるという問題は解消される。しかしながら、この場合には表示パネルの額縁領域を大きくする必要があるため、表示装置の狭額縁化を妨げてしまう。【０００９】
本発明は斯かる事情に鑑みてなされたものであり、その主たる目的は、均一に照明することができる照明装置及び表示装置を提供することにある。
【課題を解決するための手段】
【００１０】
本発明に係る照明装置は、周縁部に切り欠き状の凹部を有し、入射した光を一面から出射させる導光板と、前記凹部に係合して前記導光板を位置決めする凸部が設けられており、前記導光板を支持する導光板支持部とを備える照明装置において、前記一面の側から前記凹部と該凹部の周縁部分とを被覆する被覆部を備えることを特徴とする。【００１１】
本発明に係る照明装置は、前記被覆部は、遮光性を有することを特徴とする。【００１２】
本発明に係る照明装置は、前記被覆部は、光反射性を有することを特徴とする。【００１３】
本発明に係る照明装置は、前記被覆部に光反射部が配されていることを特徴とする。【００１４】
本発明に係る照明装置は、前記被覆部に遮光部が配されていることを特徴とする。【００１５】
本発明に係る表示装置は、本発明に係る照明装置と、表示領域及び該表示領域を囲繞する額縁領域を有し、前記表示領域は前記照明装置によって背面側から照明される表示パネルとを備え、前記表示領域の背面側に、前記照明装置が備える被覆部の少なくとも一部が配されていることを特徴とする。【００１６】
本発明に係る表示装置は、前記表示パネルを支持するパネル支持部を更に備え、前記被覆部は、前記パネル支持部に一体的に設けられていることを特徴とする。【００１７】
本発明に係る表示装置は、前記被覆部は、前記額縁領域の背面側から前記表示領域の背面側に亘って配されており、前記被覆部の前記表示領域の背面側に配されている部分は、厚さが、前記導光板の周縁側よりも面方向中央側の方が薄い舌片状になしてあるか、又は、前記照明装置が備える導光板の周縁方向に沿う方向の長さが、前記導光板の周縁側よりも面方向中央側の方が短い舌片状になしてあることを特徴とする。【００１８】
本発明にあっては、導光板に設けられている位置決め用の凹部及び凹部の周縁部分を、導光板の一面側から被覆部が被覆する。このため、導光板の一面における凹部近傍から出射する光が照明装置の外部に出射することが抑制される。故に、たとえ導光板の凹部にて光が散乱し、凹部近傍の明るさが他部よりも大きいとしても、過剰に明るい光が照明装置の外部へ漏れ出ることが抑制される。即ち、導光板の凹部に起因する輝度ムラが抑制される。【００１９】
本発明にあっては、被覆部は遮光性を有するか、又は、全反射型若しくは部分反射型の光反射性を有する。以下では、遮光性を有する被覆部として、黒色の被覆部を例示し、全反射型（又は部分反射型）の光反射性を有する被覆部として、白色（又は灰色）の被覆部を例示する。
遮光性を有する黒色の被覆部は、導光板の一面における凹部近傍から出射する光を効率よく遮断する。このため、導光板の凹部に起因する輝度ムラを効率よく抑制することができる。【００２０】
全反射型の光反射性を有する白色の被覆部は、被覆部の背面側において、導光板の一面における凹部近傍から出射する光を導光板側へ反射させる。このため、導光板の凹部に起因する輝度ムラを効率よく抑制することができる。また、白色の被覆部は、被覆部の正面側において、光を照明装置の外部側へ反射させる。このため、導光板の凹部に起因する輝度ムラを抑制しつつ、被覆部が存在することによって却って導光板の凹部近傍の明るさが低下してしまい、輝度ムラが生じる、という不都合を抑制することができる。換言すれば、白色の被覆部は、自身に起因する輝度ムラを抑制することができる。【００２１】
部分反射型の光反射性を有する灰色の被覆部は、黒色の被覆部と白色の被覆部との中間的な作用効果を奏する。故に、例えば照明装置各部との兼ね合いによって灰色の色味を適宜に選択すれば、導光板の凹部に起因する輝度ムラの抑制と被覆部自身に起因する輝度ムラの抑制とを容易に両立させることができる。【００２２】
本発明にあっては、全反射型又は部分反射型の光反射部が配されている黒色被覆部は、白色又は灰色の被覆部と同様の作用効果を奏する。全反射型の光反射部が配されている灰色の被覆部は、白色の被覆部と同様の作用効果を奏する。光反射性が高い（又は低い）灰色の被覆部に、光反射性が低い（又は高い）部分反射型の光反射部が配されている場合、部分反射型の光反射部が配されている灰色の被覆部は、自身とは部分反射の度合いが異なる灰色の被覆部と同様の作用効果を奏する。【００２３】
光反射部の採用は、被覆部が例えば表示装置のパネル支持部に一体に設けられている場合に好適である。何故ならば、パネル支持部と一体の被覆部に、パネル支持部（延いては被覆部そのもの）の遮光性又は光反射性の度合いとは無関係に、所要の光反射性を容易に与えることができるからである。【００２４】
本発明にあっては、遮光部が配されている白色又は灰色の被覆部は、黒色の被覆部と同様の作用効果を奏する。
遮光部の採用は、被覆部が例えば表示装置のパネル支持部に一体に設けられている場合に好適である。何故ならば、パネル支持部と一体の被覆部に、パネル支持部（延いては被覆部そのもの）の光反射性とは無関係に、遮光性を容易に与えることができるからである。【００２５】
本発明にあっては、被覆部の少なくとも一部が、表示パネルの表示領域と導光板との間に配されている。このため、導光板における被覆部に被覆されている範囲から出射した光が表示パネルの表示領域へ直接的に入射することが抑制される。
しかしながら、被覆部が配されている部分は、導光板の凹部にて散乱した光によって無用に明るくなる部分である。故に、表示パネルの表示領域への入光を被覆部が制限することによって、表示パネルの表示領域は均一に明るくなる。【００２６】
本発明にあっては、被覆部は、従来存在するパネル支持部に一体的に設けられている。このため、照明装置又は表示装置が、被覆部を支持する支持部を別途備える必要がない。また、被覆部がパネル支持部に一体に設けられている場合には、被覆部の存在によって部品点数が無用に増大する虞はない。【００２７】
本発明にあっては、被覆部は、いわば表示パネルの額縁領域側から表示領域側に向けて先細りになる舌片状になしてある。このため、被覆部は、非先細り（例えば先太り）の舌片状になしてある場合よりも目立ち難い。何故ならば、被覆部周辺の明るさの変化が緩やかになるからである。
【発明の効果】
【００２８】
本発明の照明装置及び表示装置による場合、導光板の凹部及び凹部の周縁部分を被覆部が被覆する。このため、導光板の凹部に起因する輝度ムラを抑制することができる。この結果、照明装置による照明を均一にすることができる。
このような照明装置を備える表示装置は、表示パネルの表示領域の明るさを均一にすることができる。故に、表示パネルの表示品位を向上させることができる。また、導光板の凹部を表示パネルの表示領域に接近配置しても特段の問題がないため、狭額縁化を図ることができる。
【図面の簡単な説明】
【００２９】
【図１】本発明の実施の形態１に係る表示装置の構成を略示する分解斜視図である。
【図２】表示装置が備える被覆部近傍の構成を略示する水平断面図である。
【図３】被覆部近傍の構成を略示する正面図である。
【図４】本発明の実施の形態２に係る表示装置が備える被覆部近傍の構成を略示する水平断面図である。
【図５】本発明の実施の形態３に係る表示装置が備える被覆部近傍の構成を略示する水平断面図である。
【図６】本発明の実施の形態４に係る表示装置が備える被覆部近傍の構成を略示する水平断面図である。
【図７】本発明の実施の形態５に係る表示装置が備える被覆部近傍の構成を略示する水平断面図である。
【図８】本発明の実施の形態６に係る表示装置が備える被覆部近傍の構成を略示する水平断面図である。
【図９】本発明の実施の形態７に係る表示装置が備える被覆部近傍の構成を略示する正面図である。
【図１０】本発明の実施の形態８に係る表示装置が備える被覆部近傍の構成を略示する正面図である。
【発明を実施するための形態】
【００３０】
以下、本発明を、その実施の形態を示す図面に基づいて詳述する。以下の説明では、図において矢符で示す上下、前後、及び左右を使用する。
【００３１】
実施の形態  １．
図１は、本発明の実施の形態１に係る表示装置１の構成を略示する分解斜視図である。
図２及び図３は、表示装置１が備える被覆部２６近傍の構成を略示する水平断面図及び正面図である。
本実施の形態の表示装置１は、例えばテレビジョン受信機、電子看板、又は、パーソナルコンピュータ用のモニタ等として構成されている。
まず、表示装置１の構成について説明する。
表示装置１は、表示パネル１１、ベゼル１２、Ｐシャーシ（パネル支持部）１３、バックライトユニット（照明装置）２、及び、これらを、後述する表示領域１１１を露出させた状態で収容する図示しないキャビネット等を備えている。
【００３２】
表示パネル１１は液晶表示パネルを用いてなる。表示パネル１１は、矩形状になしてあり、縦姿勢で配されている。表示パネル１１は矩形状の表示領域１１１と、表示領域１１１を囲繞する矩形枠状の額縁領域１１２とを有する。表示パネル１１は、正面側のガラス基板と背面側のガラス基板とを用いてなる。２枚のガラス基板の間には液晶が封止されている。表示パネル１１の透過率は、表示パネル１１の液晶に印加された電圧に応じて変化する。
【００３３】
ベゼル１２は、表示パネル１１を正面側から支持するための矩形状枠体である。ベゼル１２は、板状の正面枠部１２１と、正面枠部１２１の外周縁部から後ろ向きに突出している各板状の４個の側面枠部１２２，１２２，…とを有する。
【００３４】
Ｐシャーシ１３は、表示パネル１１を背面側から支持するための矩形状枠体である。Ｐシャーシ１３は、ベゼル１２の正面枠部１２１よりも背面側、且つ、側面枠部１２２，１２２，…よりも内側に配されている。Ｐシャーシ１３は、板状の正面枠部１３１と、正面枠部１３１の外周縁部から後ろ向きに突出している各板状の４個の側面枠部１３２，１３２，…とを有する。
更に、正面枠部１３１は、正面枠部１３１の内周縁部から内側に向けて突出している各矩形舌片状の被覆突起部２６１，２６１，…を有する。各被覆突起部２６１の厚さ（前後長さ）は一定である。各被覆突起部２６１と、正面枠部１３１における被覆突起部２６１の基端部近傍（以下、被覆基端部２６２という）とは、本実施の形態における被覆部２６として機能する。被覆部２６は、正面枠部１３１の上下の横枠部分に２個ずつ、左右の縦枠部分に１個ずつ設けられている。被覆部２６，２６，…の個数及び上下左右方向の形成位置は、後述する凹部２２５，２２５，…の個数及び上下左右方向の形成位置に対応している。
【００３５】
ベゼル１２の正面枠部１２１とＰシャーシ１３の正面枠部１３１との間には、表示パネル１１及び後述する光学シート群２１が、弾性部材１４１を介在して挟持されている。
【００３６】
バックライトユニット２は、光学シート群２１、導光板２２、反射シート２３、光源部２４，２４、及びＢＬシャーシ（導光板支持部）２５を有する。
ＢＬシャーシ２５は皿状になしてある。ＢＬシャーシ２５は、皿の底面に相当する背面部２５１と、皿の周面に相当する周面部２５２とを有する。背面部２５１の正面側には、複数個の凸部２５３，２５３，…が突設されている。各凸部２５３は、前後方向に配された横姿勢の円柱状になしてある。
なお、凸部２５３は、円柱状に限定されず、例えば角柱状になしてあってもよい。また、凸部２５３は、ＢＬシャーシ２５の背面部２５１に突設されている構成に限定されない。
【００３７】
光学シート群２１は、各矩形状の複数枚の光学シート２１１，２１１，…が積層されてなる。光学シート群２１は、表示パネル１１の背面中央部に密着配置されている。光学シート群２１の上下左右各方向の長さは、表示パネル１１の表示領域１１１の上下左右各方向の長さより長い。光学シート群２１は、表示パネル１１の表示領域１１１を、背面側から覆っている。光学シート群２１を構成している各光学シート２１１は、光の拡散機能又は集光機能等を有する。
【００３８】
導光板２２は矩形板状になしてある。導光板２２は、例えばアクリル樹脂を用いてなる。導光板２２の上下左右各方向の長さは、表示パネル１１の上下左右各方向の長さよりも大きい。
導光板２２は、導光板２２の内部に入射した光を、導光板２２の正面（一面）２２１から出射させる（即ち面発光する）。このために、導光板２２の背面２２２には、図示しない複数の反射部が設けられている。反射部は、背面２２２に対してシルク印刷、レーザー印刷、又は賦形等が行なわれることによって設けられる。反射部に入射した光は、正面２２１側へ反射する。
【００３９】
導光板２２の周縁部には、各矩形切り欠き状の複数個の凹部２２５，２２５，…が形成してある。凹部２２５，２２５，…は、導光板２２の上辺部及び下辺部には２個ずつ、左右両辺部には１個ずつ、配されている。図２及び図３には、導光板２２の右辺部に配されている凹部２２５が図示してある。凹部２２５，２２５，…の個数及び上下左右方向の形成位置は、ＢＬシャーシ２５の凸部２５３，２５３，…の個数及び上下左右方向の形成位置に対応している。なお、凹部２２５，２２５，…の個数及び形成位置は、本実施の形態の個数及び形成位置に限定されるものではない。
【００４０】
導光板２２の内部に入射した光は、導光板２２の正面２２１、背面２２２、又は反射部にて反射し、やがて正面２２１を透過して導光板２２の外部へ出射する。ただし、導光板２２の内部に入射した光の一部が背面２２２を透過する（即ち漏光が生じる）ことがある。また、導光板２２の内部に入射した光の他の一部が各凹部２２５の内面、又は内面同士の交差部分、或いは凹部２２５の内面と導光板２２の正面２２１、背面２２２、若しくは端面と（例えば図２及び図３に示す凹部２２５の内面と導光板２２の右端面２２４と）の交差部分等に入射することによって、無用に散乱することがある。
凹部２２５において光が散乱すると、導光板２２の正面２２１から出射する光の内、凹部２２５の近傍（例えば、図３に示す破線よりも内側）から出射する光の量が、凹部２２５の近傍以外（例えば、図３に示す破線よりも外側）から出射する光の量より多くなることがある。この結果、導光板２２の正面２２１は、凹部２２５の近傍が無用に明るくなる。
【００４１】
反射シート２３は、導光板２２の背面に密着配置されて、導光板２２の背面を完全に被覆している。従って、導光板２２の背面２２２からの漏光は、反射シート２３にて反射し、再び導光板２２の内部に入射する。
反射シート２３は矩形状になしてある。
反射シート２３の左右方向の長さ（以下、横長さという）は、導光板２２の横長さよりも長く、光源部２４の横長さと同程度である。
反射シート２３の上下方向の長さ（以下、縦長さという）は、導光板２２の縦長さ以上の長さである。
【００４２】
反射シート２３の周縁部には、各矩形切り欠き状の複数個の凹部２３１，２３１，…が形成してある。凹部２３１，２３１，…の個数及び上下左右方向の形成位置は、導光板２２の凹部２２５，２２５，…の個数及び上下左右方向の形成位置に対応している。
導光板２２及び反射シート２３は、弾性部材１４２を介在して、Ｐシャーシ１３の正面枠部１３１とＢＬシャーシ２５の背面部２５１と間に挟持されている。
【００４３】
導光板２２の上方及び下方には、光源部２４，２４が１個ずつ配されている。各光源部２４は、図示しないヒートシンクを介して、ＢＬシャーシ２５によって支持されている。
光源部２４は、複数個のＬＥＤ２４１，２４１，…とＬＥＤ基板２４２とを備える。
ＬＥＤ基板２４２は、左右方向に長い横姿勢の矩形状になしてある。
上方（又は下方）の光源部２４が備えるＬＥＤ２４１，２４１，…は、ＬＥＤ基板２４２の下面（又は上面）にて左右方向に一列に等配実装してある。ＬＥＤ２４１，２４１，…と導光板２２の上端面（又は下端面２２３）とは、適長離隔して対向配置されている。
なお、光源部２４，２４は、導光板２２の左右両側端面に対向配置されている構成でもよい。また、光源部２４，２４の一方のみが備えられている構成でもよい。
【００４４】
次に、表示装置１の組み立てについて説明する。
表示パネル１１の背面には、光学シート群２１が取り付けられる。
光学シート群２１が取り付けられた表示パネル１１は、ベゼル１２の正面枠部１２１に囲繞された部分から表示領域１１１が露出するようにして、ベゼル１２に取り付けられる。このとき、表示パネル１１は、額縁領域１１２が弾性部材１４１を介してベゼル１２の正面枠部１２１の内面に対面するようにして、ベゼル１２に取り付けられる。
【００４５】
次に、ベゼル１２にＰシャーシ１３が取り付けられる。このとき、Ｐシャーシ１３の正面枠部１３１の外面が、光学シート群２１の背面における周縁部に接触する。この結果、ベゼル１２の正面枠部１２１とＰシャーシ１３の正面枠部１３１との間で、弾性部材１４１を介して、光学シート群２１を取り付けてある表示パネル１１が挟持される。
【００４６】
更に、反射シート２３と導光板２２とが、この順にＢＬシャーシ２５の背面部２５１内面に取り付けられる。このとき、反射シート２３の各凹部２３１及び導光板２２の各凹部２２５に、凸部２５３が挿入される。この結果、反射シート２３と導光板２２とがＢＬシャーシ２５に対して位置決めされる。
更にまた、光源部２４，２４が、導光板２２の上下両端面に対向配置されてＢＬシャーシ２５に取り付けられる。
【００４７】
次いで、表示パネル１１と光学シート群２１とを挟持しているベゼル１２及びＰシャーシ１３に対し、導光板２２、反射シート２３、及び光源部２４，２４を保持しているＢＬシャーシ２５が、弾性部材１４２を介して取り付けられる。弾性部材１４２は、Ｐシャーシ１３の正面枠部１３１の内面と、導光板２２の正面における周縁部との間に配される。
以上の結果、凹部２２５，２２５，…の正面側には、Ｐシャーシ１３の正面枠部１３１が位置する。Ｐシャーシ１３の正面枠部１３１の正面側には、表示パネル１１の額縁領域１１２が位置する。
【００４８】
被覆部２６，２６，…は、導光板２２の正面側から、凹部２２５，２２５，…及び凹部２２５，２２５，…の周縁部分を被覆する。このとき、被覆部２６，２６，…の被覆基端部２６２，２６２，…の正面側には、表示パネル１１の額縁領域１１２が位置している。しかしながら、被覆部２６，２６，…の被覆突起部２６１，２６１，…の正面側には、表示パネル１１の表示領域１１１が位置している。つまり、各被覆部２６の少なくとも一部は、表示パネル１１の表示領域１１１の背面側に配されている。
【００４９】
ところで、本実施の形態では、凹部２２５，２２５，…はＰシャーシ１３の正面枠部１３１に被覆されている。しかしながら、正面枠部１３１だけ（即ち、被覆基端部２６２，２６２，…だけ）では、凹部２２５，２２５，…の周縁部分（特に、凹部２２５，２２５，…の周縁部分における導光板２２の面方向中央側。例えば図２及び図３に示す凹部２２５の周縁部分における左側）を十分に被覆することができない。そこで、被覆突起部２６１が設けられている。
【００５０】
仮に、正面枠部１３１だけで凹部２２５，２２５，…の周縁部分を十分に被覆した場合、正面枠部１３１の幅を大きくする必要がある。このため、導光板２２の正面が、無用に広く被覆されてしまう。この結果、バックライトユニット２が照明可能な範囲が無用に狭まってしまう。
換言すれば、被覆突起部２６１は、正面枠部１３１の幅を無用に大きくすることなく、導光板２２の正面における必要十分な箇所を被覆するために設けられている。
【００５１】
次に、バックライトユニット２による表示パネル１１の照明について説明する。
光源部２４，２４が発した光は、直接的に、又は、反射シート２３にて反射することによって、導光板２２の上端面及び下端面２２３を透過して導光板２２の内部に入射する。
導光板２２の内部に入射した光は、導光板２２の正面２２１から出射する。導光板２２から出射した光は、光学シート群２１による拡散及び集光等を経て、表示パネル１１の背面を透過し、表示パネル１１の内部に入射する。
【００５２】
以上のように、表示パネル１１は、バックライトユニット２によって背面側から照明される。表示パネル１１の内部に入射した光は、表示パネル１１を透過するか、又は、表示パネル１１の通過を遮断される。この結果、表示パネル１１の表示領域１１１に映像が表示される。
【００５３】
ところで、凹部２２５に起因する光の散乱によって、導光板２２の正面２２１は、凹部２２５の近傍が無用に明るい。しかしながら、凹部２２５及び凹部２２５の周縁部分は被覆部２６によって被覆されている。
【００５４】
ここで、まず、Ｐシャーシ１３が黒色であり、延いては被覆部２６，２６，…が黒色である場合について述べる。この場合、凹部２２５，２２５，…にて散乱した光は被覆部２６，２６，…によって遮断される。このため、凹部２２５，２２５，…に起因する光の散乱によって表示パネル１１の一部（具体的には、表示パネル１１において、導光板２２の凹部２２５，２２５，…及び凹部２２５，２２５，…の周縁部分の正面側に位置する部分）が過剰に明るく照明されてしまうことが抑制される。換言すれば、バックライトユニット２は、表示パネル１１を均一に明るく照明する。
このように、黒色の被覆部２６，２６，…は遮光性を有するため、導光板２２の凹部２２５，２２５，…に起因する輝度ムラが効率よく抑制される。
【００５５】
次に、Ｐシャーシ１３が白色であり、延いては被覆部２６，２６，…が白色である場合について述べる。この場合、凹部２２５，２２５，…にて散乱した光は被覆部２６，２６，…夫々の背面にて導光板２２側へ反射し、導光板２２の内部に入射する。このため、被覆部２６，２６，…が黒色である場合と同様に、凹部２２５，２２５，…に起因する光の散乱によって表示パネル１１の一部が過剰に明るく照明されてしまうことが抑制される。換言すれば、バックライトユニット２は、表示パネル１１を均一に明るく照明する。
【００５６】
白色の被覆部２６，２６，…は全反射型の光反射性を有する。このため、被覆部２６，２６，…が遮光することによって却って導光板２２の凹部２２５，２２５，…近傍の明るさが低下してしまい、輝度ムラが生じる、という不都合を抑制することができる。換言すれば、白色の被覆部２６，２６，…は、自身に起因する輝度ムラを抑制することができる。端的に言うなら、黒色の被覆部２６，２６，…に比べて、白色の被覆部２６，２６，…は、被覆部２６，２６，…夫々の正面にて光が反射するため、被覆部２６，２６，…自身の影が表示パネル１１の表示領域１１１に投影されてしまうという不都合を抑制することができる。
【００５７】
次に、Ｐシャーシ１３が灰色であり、延いては被覆部２６，２６，…が灰色である場合について述べる。灰色の被覆部２６，２６，…は、部分反射型の光反射性を有するため、被覆部２６，２６，…が黒色である場合と白色である場合との中間的な作用効果を奏する。故に、被覆部２６，２６，…の色味を適宜に選択すれば、導光板２２の凹部２２５，２２５，…に起因する輝度ムラの抑制と被覆部２６，２６，…自身に起因する輝度ムラの抑制とを容易に両立させることができる。
【００５８】
本実施の形態では、被覆部２６，２６，…の一部である被覆基端部２６２，２６２，…は、Ｐシャーシ１３の正面枠部１３１と兼用されている。このため、被覆部２６，２６，…を設けることによってＰシャーシ１３が無用に大型化することが抑制されている。
また、本実施の形態では、被覆部２６，２６，…はＰシャーシ１３に一体に設けられている。このため、被覆部２６，２６，…を支持する支持部を別途配置する必要がない。更に、本発明の実施の形態における被覆部を設けることによって部材点数が無用に増大することが抑制されている。
【００５９】
ところで、本発明の実施の形態における被覆部は、Ｐシャーシ１３に一体に設けられている構成に限定されない。例えばＰシャーシ１３を備えていない構成の表示装置１であれば、被覆部はベゼル１２又はキャビネット等に一体に設けられている構成でもよい。
また、本発明の実施の形態における被覆部は、表示装置１を構成する他の部材とは別体であってもよい。この場合の被覆部としては、例えば導光板２２の正面に貼着されることによって凹部２２５及び凹部２２５の周縁部分を被覆するシート状のものが考えられる。
【００６０】
本実施の形態における表示装置１においては、凸部２５３，２５３，…の正面側にＰシャーシ１３が配されている。このため、特許文献１に記載されているように、反射シート２３の一部を立ち上げて凸部２５３，２５３，…を被覆する必要はない。
【００６１】
実施の形態  ２．
図４は、本発明の実施の形態２に係る表示装置１が備える被覆部２６近傍の構成を略示する水平断面図である。図４は、実施の形態１の図２に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００６２】
本実施の形態の表示装置１は、実施の形態１の表示装置１よりも狭額縁化されている。このため、Ｐシャーシ１３の正面枠部１３１の正面側には、実施の形態１の場合と同様に、表示パネル１１の額縁領域１１２が位置しているが、各凹部２２５の正面側には、表示パネル１１の表示領域１１１及び額縁領域１１２が位置している。つまり、Ｐシャーシ１３の正面枠部１３１だけで、凹部２２５の全部を被覆することができない。
【００６３】
ところが、本実施の形態においては、凹部２２５と凹部２２５の周縁部分とが、被覆部２６，２６，…の被覆突起部２６１及び被覆基端部２６２の両方によって被覆されている。このため、凹部２２５に起因する光の散乱によって、表示パネル１１の一部が過剰に明るく照明されてしまうことが抑制される。つまり、本実施の形態の表示装置１も、実施の形態１の表示装置１と同様に、輝度ムラを抑制することができる。
【００６４】
実施の形態  ３．
図５は、本発明の実施の形態３に係る表示装置１が備える被覆部２６近傍の構成を略示する水平断面図である。図５は、実施の形態１の図２に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００６５】
本実施の形態のＰシャーシ１３は、黒色（又は灰色）である。Ｐシャーシ１３が黒色（又は灰色）である場合、各被覆部２６も黒色（又は灰色）である。黒色（又は灰色）の被覆部２６は、被覆部２６が白色である場合に比べて、遮光性が高い。
被覆部２６の被覆基端部２６２は、表示パネル１１の額縁領域１１２の背面側に位置している。このため、被覆基端部２６２の影が表示パネル１１の表示領域１１１に映ることはない。
一方、被覆部２６の被覆突起部２６１は、表示パネル１１の表示領域１１１の背面側に位置している。このため、被覆突起部２６１の遮光性が高いと、被覆突起部２６１の影が表示領域１１１に映り、表示領域１１１の一部が無用に暗い輝度ムラの原因となる虞がある。
【００６６】
そこで、被覆突起部２６１の正面には、白色の光反射シート２７１が貼着してある。つまり、光反射シート２７１は、被覆部２６に配された光反射部として機能する。
各被覆突起部２６１の背面は、黒色又は灰色である。従って、導光板２２の凹部２２５，２２５，…にて散乱した光の少なくとも一部は被覆突起部２６１，２６１，…によって遮断される。このため、凹部２２５，２２５，…に起因する光の散乱によって表示パネル１１の一部が過剰に明るく照明されてしまうことが抑制される。換言すれば、バックライトユニット２は、表示パネル１１を均一に明るく照明する。
【００６７】
各被覆突起部２６１の正面側は、光反射シート２７１によって、被覆突起部２６１そのものよりも光反射性が高められている。従って、被覆突起部２６１，２６１，…自身の影が表示パネル１１の表示領域１１１に投影されてしまうという不都合を抑制することができる。
なお、本発明の実施の形態に係る光反射部は、光反射シート２７１に限定されない。例えば、光反射シート２７１に替えて、光反射性を有する塗料が被覆突起部２６１に塗布されていてもよい。
また、被覆突起部２６１が黒色である場合、光反射シート２７１は灰色であってもよい。更に、被覆突起部２６１が暗い灰色である場合、光反射シート２７１は明るい灰色であってもよい。
【００６８】
実施の形態  ４．
図６は、本発明の実施の形態４に係る表示装置１が備える被覆部２６近傍の構成を略示する水平断面図である。図６は、実施の形態１の図２に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００６９】
本実施の形態のＰシャーシ１３は、白色（又は灰色）である。Ｐシャーシ１３が白色（又は灰色）である場合、各被覆部２６も白色（又は灰色）である。白色（又は灰色）の被覆部２６は、被覆部２６が黒色である場合に比べて、光反射性が高い。
被覆部２６の被覆基端部２６２は、表示パネル１１の額縁領域１１２の背面側に位置している。このため、被覆基端部２６２にて反射した光が表示パネル１１の表示領域１１１に入射することはない。
一方、被覆部２６の被覆突起部２６１は、表示パネル１１の表示領域１１１の背面側に位置している。このため、被覆突起部２６１の光反射性が高いと、被覆基端部２６２にて反射した光が表示領域１１１に入射し、表示領域１１１の一部が無用に明るい輝度ムラの原因となる虞がある。
【００７０】
そこで、被覆突起部２６１の正面に、黒色の遮光シート２７２が貼着してある。つまり、遮光シート２７２は、被覆部２６に配された遮光部として機能する。
各被覆突起部２６１の背面は、白色又は灰色である。従って、導光板２２の凹部２２５，２２５，…にて散乱した光の少なくとも一部は被覆突起部２６１，２６１，…にて導光板２２側に反射し、導光板２２の内部に入射する。このため、凹部２２５，２２５，…に起因する光の散乱によって表示パネル１１の一部が過剰に明るく照明されてしまうことが抑制される。換言すれば、バックライトユニット２は、表示パネル１１を均一に明るく照明する。
【００７１】
各被覆突起部２６１の正面側は、遮光シート２７２によって、被覆突起部２６１そのものよりも遮光性が高められている。従って、被覆突起部２６１，２６１，…にて反射された光が表示パネル１１の表示領域１１１に入射してしまうという不都合を抑制することができる。
なお、本発明の実施の形態に係る遮光部は、遮光シート２７２に限定されない。例えば、遮光シート２７２に替えて、遮光性を有する塗料が被覆突起部２６１に塗布されていてもよい。
【００７２】
実施の形態  ５．
図７は、本発明の実施の形態５に係る表示装置１が備える被覆部２６近傍の構成を略示する水平断面図である。図７は、実施の形態４の図６に対応する。
本実施の形態の表示装置１は、実施の形態４の表示装置１と略同様の構成である。以下では、実施の形態４との差異について説明し、その他、実施の形態４に対応する部分には同一符号を付してそれらの説明を省略する。
【００７３】
本実施の形態においては、黒色の遮光シート２７２は被覆突起部２６１の背面に貼着してある。
各被覆突起部２６１の正面は、光反射性が高い白色又は灰色である。従って、被覆突起部２６１，２６１，…自身の影が表示パネル１１の表示領域１１１に投影されてしまうという不都合を抑制することができる。
【００７４】
各被覆突起部２６１の背面側は、遮光シート２７２によって、被覆突起部２６１そのものよりも遮光性が高められている。従って、導光板２２の凹部２２５，２２５，…にて散乱した光は遮光シート２７２，２７２，…によって遮断される。このため、凹部２２５，２２５，…に起因する光の散乱によって表示パネル１１の一部が過剰に明るく照明されてしまうことが抑制される。換言すれば、バックライトユニット２は、表示パネル１１を均一に明るく照明する。
仮に、遮光シート２７２が存在しない場合、被覆突起部２６１の背面の光反射性によって、凹部２２５近傍の光の散乱が助長されてしまう虞がある。
【００７５】
実施の形態３〜５からわかるように、被覆部２６自体が却って輝度ムラの原因となってしまう場合には、被覆部２６における輝度ムラの原因となる部分を光反射シート２７１又は遮光シート２７２で覆えばよい。
【００７６】
実施の形態  ６．
図８は、本発明の実施の形態６に係る表示装置１が備える被覆部２６近傍の構成を略示する水平断面図である。図８は、実施の形態１の図２に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
実施の形態１の各被覆部２６は、厚さが一定の舌片状の被覆突起部２６１を有する。本実施の形態の各被覆部２６は、被覆突起部２６３を有する。
【００７７】
被覆突起部２６３は、基端側（被覆基端部２６２側）から先端側へ徐々に厚さが小さくなる先細りの舌片状になしてある。即ち、被覆突起部２６３の厚さは、導光板２２の周縁側（図８中右側）よりも導光板２２の面方向中央側（図８中左側）の方が薄い。このとき、被覆突起部２６３の背面は導光板２２の正面に平行であるが、このとき、被覆突起部２６３の正面は導光板２２の正面に対して傾斜している。
表示パネル１１において、表示領域１１１側は明るく、額縁領域１１２側は暗い。被覆突起部２６３は、被覆突起部２６３の周辺における表示領域１１１側と額縁領域１１２側との間で明るさが急激に変化することを緩和する。従って、被覆突起部２６３は目立ち難い。
【００７８】
被覆突起部２６３の背面は導光板２２の正面に平行であるため、特に被覆突起部２６３の背面側が光反射性を有している場合、被覆突起部２６３の背面側へ入射した光を導光板２２側へ確実に反射させることができる。
被覆突起部２６３の正面は導光板２２の正面に対して傾斜している。このため、被覆突起部２６３の正面は、導光板２２の正面に平行である場合よりも、表示パネル１１の広い範囲に向けられている。従って、特に被覆突起部２６３の正面側が光反射性を有している場合、被覆突起部２６３の正面側へ入射した光を表示パネル１１の広い範囲へ反射させることができる。故に、被覆突起部２６３の正面側へ入射した光を表示パネル１１の狭い範囲へ反射させた場合よりも、表示パネル１１の一部が部分的に明るくなる輝度ムラの発生を抑制することができる。
【００７９】
実施の形態  ７．
図９は、本発明の実施の形態７に係る表示装置１が備える被覆部２６近傍の構成を略示する正面図である。図９は、実施の形態１の図３に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
本実施の形態の各被覆部２６は、実施の形態１における矩形状の被覆突起部２６１に替えて、被覆突起部２６４を有する。
【００８０】
被覆突起部２６４は、先細りの台形状になしてあり、被覆突起部２６４における導光板２２の周縁方向に沿う方向の長さ（図９中縦長さ）は、導光板２２の周縁側（図９中右側）よりも導光板２２の面方向中央側（図９中左側）の方が短い。
表示パネル１１において、表示領域１１１側は明るく、額縁領域１１２側は暗い。被覆突起部２６４の外縁部は傾斜状であるため、被覆突起部２６４の周辺における表示領域１１１側と額縁領域１１２側との間で明るさが急激に変化することが緩和される。従って、被覆突起部２６４は目立ち難い。
【００８１】
実施の形態  ８．
図１０は、本発明の実施の形態８に係る表示装置１が備える被覆部２６近傍の構成を略示する正面図である。図１０は、実施の形態７の図９に対応する。
本実施の形態の表示装置１は、実施の形態７の表示装置１と略同様の構成である。以下では、実施の形態７との差異について説明し、その他、実施の形態７に対応する部分には同一符号を付してそれらの説明を省略する。
本実施の形態の各被覆部２６は、実施の形態１における矩形状の被覆突起部２６４に替えて、被覆突起部２６５を有する。
【００８２】
被覆突起部２６５は、櫛形状（即ち、緩やかな先細り形状）になしてあり、被覆突起部２６５における導光板２２の周縁方向に沿う方向の長さ（図１０中縦長さ）は、導光板２２の周縁側（図１０中右側）よりも導光板２２の面方向中央側（図１０中左側）の方が短い。
表示パネル１１において、表示領域１１１側は明るく、額縁領域１１２側は暗い。被覆突起部２６５の外縁部は弧状であるため、被覆突起部２６５の周辺における表示領域１１１側と額縁領域１１２側との間で明るさが急激に変化することが緩和される。従って、被覆突起部２６５は目立ち難い。
【００８３】
本発明の実施の形態に係る照明装置は、表示装置１に組み込まれるバックライトユニット２のようなものに限定されない。例えば、照明装置は、携帯電話機又は携帯情報端末装置等が備える表示部のバックライトユニットとして構成されていてもよい。或いは、照明装置は、シーリングライト又は壁掛け照明器具等として構成されていてもよい。シーリングライトとして構成されている場合、例えば導光板が正面を下向きにして横姿勢で配されていてもよい。
【００８４】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、表示装置１又はバックライトユニット２に、実施の形態１〜８に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００８５】
１      表示装置
１１    表示パネル
１１１  表示領域
１１２  額縁領域
１３    Ｐシャーシ（パネル支持部）
２      バックライトユニット（照明装置）
２２    導光板
２２５  凹部
２５    ＢＬシャーシ（導光板支持部）
２５３  凸部
２６    被覆部
２７１  光反射シート（光反射部）
２７２  遮光シート（遮光部）
【図１】
2015046240.tif 000003
【図２】
2015046240.tif 000004
【図３】
2015046240.tif 000005
【図４】
2015046240.tif 000006
【図５】
2015046240.tif 000007
【図６】
2015046240.tif 000008
【図７】
2015046240.tif 000009
【図８】
2015046240.tif 000010
【図９】
2015046240.tif 000011
【図１０】
2015046240.tif 000012
【国際調査報告】
2015046240.tif 000013
2015046240.tif 000014
2015046240.tif 000015